(57)【特許請求の範囲】
【請求項１】
植栽のための土壌が充填された植栽用土壌充填袋であって、
前記袋の一方の面に設けられる植栽開口部と、
一方の開口端が前記植栽開口部の周縁に取り付けられると共に、他方の開口端の近傍に糸部材が内通される内通部が設けられたスリーブ部材と、からなることを特徴とする植栽用土壌充填袋。
【請求項２】
前記袋が難燃性を有する材料で構成されることを特徴とする請求項１に記載の植栽用土壌充填袋。
【請求項３】
前記袋の外周部にはループ部材が取り付けられることを特徴とする請求項１又は請求項２に記載の植栽用土壌充填袋。
【発明の詳細な説明】
【技術分野】
【０００１】
本発明は、屋上緑化施工に好適である、常緑キリンソウなどの植栽のための土壌が充填された植栽用土壌充填袋に関する。
【背景技術】
【０００２】
近年、都市構造の高層化と稠密化に伴い、建築物の屋上等に緑化を施すことが重要視されてきている。このような建築物の緑化は、大気浄化、乾燥防止、温暖化防止、ヒートアイランド現象の緩和等、地球温暖化防止へなどの環境面への効果が大きいことが認識されると共に、さらに、景観の向上にも資することから、導入機運が大いに高まっている。また、建築物の屋上などを緑化することに伴う種々の技術も提案されている。例えば、特許文献１（実用新案登録第３１５１１８３号公報）には、上部が開放された箱状をなす多数の薄型トレーと、該薄型トレー内に予め植栽され、常緑キリンソウを含んだ緑化植物と、を備えた薄層緑化構造が開示されている。
【０００３】
また、非特許文献１には、土壌が封入され、上面部に複数のファスナー部が設けられた袋を用意しておき、ファスナー部により開口を形成し、この開口から常緑キリンソウを植栽する技術が開示されている。
【０００４】
非特許文献１に開示されているような、袋詰めした土壌に常緑キリンソウを植栽する技術によれば、袋に植栽された常緑キリンソウを屋上等に設置するだけであるので、緑化に係る施工が極めて簡単となる。また、土壌は袋詰めされた状態であるので、屋上などにおいて土壌が流出することを防止できる。また、植栽後にはファスナー部を閉じることで土壌に雑草の種がつくことがないので、雑草の発生が少なくメンテナンスが容易となる。
【特許文献１】実用新案登録第３１５１１８３号公報
【非特許文献１】（ＵＲＬ）ｈｔｔｐ：／／ｗｗｗ．ｋｉｒｉｎｓｏｕ．ｃｏｍ／ｃａｔｅｇｏｒｙ／１３５７３４１．ｈｔｍｌ
【発明の概要】
【発明が解決しようとする課題】
【０００５】
しかしながら、非特許文献１に開示されている技術においては、常緑キリンソウの植栽を行う開口を形成するためにファスナーが採用されているためにコストがかかる、という問題があった。また、ファスナーを構成する金属部材によって、常緑キリンソウの茎部を傷つけてしまう、という問題もあった。また、ファスナーを開口して、常緑キリンソウの植栽作業を行う場合、袋内の土壌が散逸しやすく、作業性が良くない、という問題があった。
【課題を解決するための手段】
【０００６】
上記問題点を解決するために、請求項１に係る発明は、植栽のための土壌が充填された植栽用土壌充填袋であって、前記袋の一方の面に設けられる植栽開口部と、一方の開口端が前記植栽開口部の周縁に取り付けられると共に、他方の開口端の近傍に糸部材が内通される内通部が設けられたスリーブ部材と、からなることを特徴とする。
【０００７】
また、請求項２に係る発明は、請求項１に記載の植栽用土壌充填袋において、前記袋が難燃性を有する材料で構成されることを特徴とする。
【０００８】
また、請求項３に係る発明は、請求項１又は請求項２に記載の植栽用土壌充填袋において、前記袋の外周部にはループ部材が取り付けられることを特徴とする。
【発明の効果】
【０００９】
本発明の植栽用土壌充填袋によれば、ファスナーなどが不要な構造であるので、コストを抑制することが可能となる。
【００１０】
また、本発明の植栽用土壌充填袋によれば、植栽開口部にはスリーブ部材が延在する構成となっているので、植栽作業を行う場合、袋内の土壌が散逸しにくく、作業性が向上する。
【００１１】
また、本発明の植栽用土壌充填袋によれば、ファスナーが用いられていないので、ファスナーを構成する金属部材によって、植物の茎部を傷つけてしまうことがない。
【図面の簡単な説明】
【００１２】
【図１】本発明の実施形態に植栽用土壌充填袋１００を示す図である。
【図２】植栽用土壌充填袋１００のスリーブ部材１３０を開放した状態を示す図である。
【図３】スリーブ部材１３０の詳細な構造を示す図である。
【図４】本発明の実施形態に植栽用土壌充填袋１００の全ての植栽開口部１２０に植物Ｐを植栽した様子を示す図である。
【図５】本発明の実施形態に植栽用土壌充填袋１００同士の連結について説明する図である。
【図６】本発明の他の実施形態に植栽用土壌充填袋１００を示す図である。
【図７】本発明の他の実施形態に植栽用土壌充填袋１００を示す図である。
【発明を実施するための形態】
【００１３】
以下、本発明の実施の形態を図面を参照しつつ説明する。図１は本発明の実施形態に植栽用土壌充填袋１００を示す図であり、図１（Ａ）は植栽用土壌充填袋１００の斜視図であり、図１（Ｂ）は図１（Ａ）におけるＸ−Ｘ’断面を示す図である。
【００１４】
また、図２は植栽用土壌充填袋１００のスリーブ部材１３０を開放した状態を示す図である。また、図３はスリーブ部材１３０の詳細な構造を示す図である。また、図４は本発明の実施形態に植栽用土壌充填袋１００の全ての植栽開口部１２０に植物Ｐを植栽した様子を示す図である。
【００１５】
植栽用土壌充填袋１００は、常緑キリンソウなどの植物Ｐを植栽するための土壌が充填された袋状の部材である。植栽用土壌充填袋１００においては、矩形状の第１面１１１側には植物Ｐを植栽するための植栽開口部１２０が設けられ、一方、矩形状の第２面１１２側は地面に設置されることが想定されている。図１に示す実施形態は、第１面１１１側に植栽開口部１２０を６つ設けた構成であるが、植栽開口部１２０を設ける数について特に制限があるわけではない。
【００１６】
植栽用土壌充填袋１００の袋地としては、通気性、通水性がある不織布或いは織布などの材料であればどのようなものを用いても構わないが、植栽用土壌充填袋１００の袋地として、特に、難燃性を有する材料（例えば、ポリエステルのスパンボンドに難燃材をコーティングしたもの。谷口産業株式会社製「プロフィット」など）を用いることが好適である。このような難燃性を有する材料を用いて植栽用土壌充填袋１００を構成すると、植栽用土壌充填袋１００の施工後、たとえ、袋地上にタバコの投げ捨てなどがあったとしても、袋地が燃えてしまうようなことがない。また、植栽用土壌充填袋１００の袋地としては、上記のような難燃性に加え、耐候性を有する材料であることが好ましい。これは、例えば、植栽用土壌充填袋１００を利用して屋上緑化施工を行うような場合を考えると、施工
後、相当の年数、屋外環境に曝され続けることとなるからである。
【００１７】
第１面１１１と第２面１１２との間には、図１（Ｂ）に示すように、植物Ｐの育成に適した土壌が充填される。例えば、植物Ｐとして常緑キリンソウを植栽する場合、植栽用土壌充填袋１００内に充填する土壌としては、ピートモス、バーミキュライト、パーライト、有機堆肥、真砂土、燻炭、作土などを配合したものを利用することができる。
【００１８】
第１面１１１側に設けられる植栽開口部１２０には、スリーブ部材１３０が設けられており、このスリーブ部材１３０によって、植栽開口部１２０の広さを可変することができるようになっている。このスリーブ部材１３０は、一方の開口端が植栽開口部１２０の周縁に取り付けられると共に、他方の開口端の近傍に糸部材１４０が内通される内通部１３５が設けられている。
【００１９】
スリーブ部材１３０の具体的な構成例につき図３を参照して説明する。スリーブ部材１３０は、袋地と同一の材料で構成された４つの側片部材１３１と、この側片部材１３１より柔軟性を有する素地で構成された補完部材１３２とによって構成することができる。このようなスリーブ部材１３０の一方の開口端は植栽開口部１２０に縫いつけなどによって取り付けることができる。他方の開口端の近傍には図示するように内通部１３５を設けて、糸部材１４０を挿通させる。糸部材１４０は輪状となし、内通部１３５から脱落することがないようにする。この糸部材１４０としては、耐候性の高いものを採用することが好ましい。また、補完部材１３２についても所定の耐候性を有するものを用いることが望ましい。
【００２０】
上記のように構成されるスリーブ部材１３０においては、糸部材１４０を締め付けることで、スリーブ部材１３０の他方側開放端からの植栽開口部１２０の露出を図１に示すように制限することができる。一方、糸部材１４０を弛めることによって、スリーブ部材１３０の他方側開放端を、図２に示すように開け放つようにすることで、植物Ｐを植栽する作業を行うことができる。植物Ｐの植栽作業においては、スリーブ部材１３０が植栽開口部１２０を覆うような壁を作る状態となるので、植栽用土壌充填袋１００内の土壌が散逸しにくく、作業性が向上する。また、植物Ｐの植栽後には、糸部材１４０の調整によって、スリーブ部材１３０によって植栽開口部１２０の露出を大きく制限することが可能であるため、雑草の種が土壌について雑草が発生してしまうことを防止することが可能となる。
【００２１】
また、植栽用土壌充填袋１００の植栽開口部１２０にスリーブ部材１３０を取り付けた構造によれば、従来例のようなファスナーなどが不要となるので、コストを抑制することが可能となる。  また、植栽用土壌充填袋１００によれば、ファスナーが用いられていないので、ファスナーを構成する金属部材によって、植物Ｐの茎部を傷つけてしまうことがない。
【００２２】
屋上緑化などを行う場合に採用する植物Ｐとしては、常緑キリンソウを用いることが好ましい。常緑キリンソウは、ベンケイソウ科キリンソウ属に分類されるものであるが、通年常緑で落葉しないため、冬期であっても緑豊かに保つことができ、花摘み等も不要である。さらに、暑さや寒さに対してきわめて強く、乾燥や多湿への耐性も高い。常緑キリンソウは、天然雨水以外に灌水の必要もなく、培養土１３の厚みが３０ｍｍ程度あれば十分に生育し得る。入手可能な常緑キリンソウの例としては、トットリフジタ１号（種苗登録第１５８６６号）やトットリフジタ２号（種苗登録第１５８６７号）が挙げられる。
【００２３】
上記のように糸部材１４０を利用してスリーブ部材１３０の開口端を調整して、植栽用土壌充填袋１００の全ての植栽開口部１２０に植物Ｐを植栽した状態を図４に示す。とこ
ろで、植栽用土壌充填袋１００の外周部には、バンドなどを挿通することができるループ部材１５０が取り付けられている。このようなループ部材１５０は、植栽用土壌充填袋１００がなす矩形の各辺のほぼ中央部に位置するように設けられており、複数の植栽用土壌充填袋１００を互いに連結するために利用することができる。
【００２４】
図５は本発明の実施形態に植栽用土壌充填袋１００同士の連結について説明する図である。図５に示すように、隣り合う植栽用土壌充填袋１００に設けられ、互いに対向し合うループ部材１５０のループ部に、結束バンド２００を挿通して結束することで、広い面積にわたって複数の植栽用土壌充填袋１００同士を連結することができるようになっている。本発明の実施形態に植栽用土壌充填袋１００においては、上記のようなループ部材１５０が設けられているため、広い面積の施工を簡単に行うことが可能となる。
【００２５】
以上のような本実施形態に係る植栽用土壌充填袋１００によって、広い面積の屋上緑化施工を行った場合のメンテナンス作業としては、追肥を行うことなどを挙げることができる。追肥に用いる肥料としては、植栽用土壌充填袋１００の全域にわたって効くような粒状の肥料を用いるとよい。このような肥料を用いれば、植栽用土壌充填袋１００の６つの植栽開口部１２０のうちの１つのみに施肥を行うだけで所定の期間、肥効が植栽用土壌充填袋１００の全域にわたり持続する。追肥のための肥料としては、例えば、三菱化学アグリ株式会社製のウッドエース４号などを用いることができる。
【００２６】
次に、本発明の他の実施形態について説明する。図６は本発明の他の実施形態に植栽用土壌充填袋１００を示す図である。第１の実施形態においては、スリーブ部材１３０としては、袋地と同一の材料で構成された４つの側片部材１３１と、側片部材１３１より柔軟性を有する素地で構成された補完部材１３２とから構成したが、図６に示す実施形態においては、スリーブ部材１３０全体を、柔軟性を有する素地のみで構成した。また、第１の実施形態においては、植栽開口部１２０は矩形であったが、図６に示す実施形態においては、円形の植栽開口部１２０を採用している。
【００２７】
図６の右下の植栽開口部１２０に示すスリーブ部材１３０については、糸部材１４０が弛められてスリーブ部材１３０の他方側開放端が開け放たれ、植物Ｐを植栽する作業を行うことができる状態を示している。このような実施形態によれば、先の実施形態と同様の効果を享受することができると共に、側片部材１３１などの比較的厚い袋地と同一の材料でスリーブ部材１３０を構成しないため、加工の手間が省ける、というメリットをも享受することができる。
【００２８】
図７は本発明の他の実施形態に植栽用土壌充填袋１００を示す図である。図７に示す実施形態においては、図６に示すものと同様、スリーブ部材１３０全体を、柔軟性を有する素地のみで構成した。また、図７に示す実施形態においては、第１の実施形態と同様、矩形の植栽開口部１２０を採用している。図７に示すような実施形態においても、これまで説明した実施形態と同様の効果を得ることが可能である。
【００２９】
以上、本発明の植栽用土壌充填袋１００によれば、ファスナーなどが不要な構造であるので、コストを抑制することが可能となる。
【００３０】
また、本発明の植栽用土壌充填袋１００によれば、植栽開口部１２０にはスリーブ部材が延在する構成となっているので、植栽作業を行う場合、袋内の土壌が散逸しにくく、作業性が向上する。
【００３１】
また、本発明の植栽用土壌充填袋１００によれば、ファスナーが用いられていないので、ファスナーを構成する金属部材によって、植物の茎部を傷つけてしまうことがない。
【符号の説明】
【００３２】
１００・・・植栽用土壌充填袋
１１１・・・第１面
１１２・・・第２面
１２０・・・植栽開口部
１３０・・・スリーブ部材
１３１・・・側片部材
１３２・・・補完部材
１３５・・・内通部
１４０・・・糸部材
１５０・・・ループ部材
２００・・・結束バンド
【図１】
0005535892.tif 000002
【図２】
0005535892.tif 000003
【図３】
0005535892.tif 000004
【図４】
0005535892.tif 000005
【図５】
0005535892.tif 000006
【図６】
0005535892.tif 000007
【図７】
0005535892.tif 000008